(57)【要約】【課題】  表示器の配置面積の増大を抑制し、また、画像処理を行わずに重畳表示が可能な表示装置を提供すること。【解決手段】  透過蓄積型の第２表示器１１０は、第１表示器１０９に重畳して設けられている。データ取得転送部１１２は、第１表示器１０９に表示されている情報に重畳して表示させるデータを取得し、第２表示器１１０へ転送する。第２表示器１０９は、データ取得転送部１１２から転送されたデータを表示する。【選択図】  図１
2006215334.tif 000002
【特許請求の範囲】
【請求項１】
第一の表示器と、
前記第一の表示器に重畳して設けられた透過型の第二の表示器と、
前記第二の表示器に表示させるデータを取得し、前記第二の表示器に転送するデータ取得転送手段と、
を備える表示装置。
【請求項２】
請求項１記載の表示装置であって、
通信回線を介して所定の情報を受信する通信手段を更に備え、
前記データ取得転送手段は、前記受信した情報に関連したデータを取得して前記第二の表示器に転送する表示装置。
【請求項３】
請求項１又は２記載の表示装置であって、
前記データ取得転送手段は、所定時刻又は所定時間毎に、前記データの取得及び転送を行う表示装置。
【請求項４】
請求項１ないし３のいずれか一項記載の表示装置であって、
前記第二の表示器に表示させるデータを記憶する記憶手段を更に備え、
前記データ取得転送手段は、前記第二の表示器に表示させるデータを前記記憶手段から読み出して取得し、前記第二の表示器へ転送する表示装置。
【請求項５】
請求項４記載の表示装置であって、
前記データ取得転送手段によって前記記憶手段から取得するデータを指定する指定手段を更に備える表示装置。
【請求項６】
請求項４又は５記載の表示装置であって、
前記第二の表示器は蓄積型表示器であり、
前記データ取得転送手段は、前記第一の表示器がオン状態からオフ状態になるときに、前記記憶手段からデータを取得して前記第二の表示器へ転送する表示装置。
【請求項７】
請求項６記載の表示装置であって、
前記第二の表示器は、前記第一の表示器がオフ状態からオン状態になるときに、表示されていた表示を消去する表示装置。
【請求項８】
請求項１ないし５のいずれか一項記載の表示装置であって、
前記第二の表示器は蓄積型表示器である表示装置。
【請求項９】
請求項８記載の表示装置であって、
前記第二の表示器は、前記第一の表示器がオフ状態からオン状態になるときに、表示されていた表示を消去する表示装置。
【発明の詳細な説明】
【技術分野】
【０００１】
本発明は、表示装置に関する。
【背景技術】
【０００２】
従来より、携帯電話等には画像や文字情報等を表示する表示装置が設けられている。例えば、特許文献１に開示された携帯電話には、画像表示を行う主表示部と画像表示又はメニュー表示を行う副表示部とが設けられ、例えば、テレビ電話とインターネット接続を含むメニュー操作とを同時に表示することができる。
【特許文献１】特開２００３−２０４３７８号公報
【発明の開示】
【発明が解決しようとする課題】
【０００３】
ところで、携帯電話等において、テレビ放送の受信機能を備えるものも普及し始めている。テレビ放送を視聴しながら電話等の着信が発生した場合、着信を示す表示に切り替えるか、表示画像に着信表示を重畳させる重畳表示を行う画像処理が必要となる。
【０００４】
しかしながら、上記特許文献１に記載された携帯電話のように、２つの表示部を設けると、重畳表示のための画像処理は不要である反面、表示器の配置面積が増大し、携帯電話本体の小型化が困難となる。
【０００５】
本発明は、上記従来の事情に鑑みてなされたものであって、表示器の配置面積の増大を抑制し、また、画像処理を行わずに重畳表示が可能な表示装置を提供することを目的とする。
【課題を解決するための手段】
【０００６】
本発明の表示装置は、第１に、第一の表示器と、前記第一の表示器に重畳して設けられた透過型の第二の表示器と、前記第二の表示器に表示させるデータを取得し、前記第二の表示器に転送するデータ取得転送手段と、を備える。
【０００７】
この構成により、第二の表示器に表示させるデータの取得及び転送を行い、重畳表示のための画像処理を行うことなく、重畳表示を行うことができる。
【０００８】
また、本発明の表示装置は、第２に、上記第１の表示装置であって、通信回線を介して所定の情報を受信する通信手段を更に備え、前記データ取得転送手段は、前記受信した情報に関連したデータを取得して前記第二の表示器に転送する。
【０００９】
この構成により、第二の表示器は、電話の着信情報や、メールの着信情報等、通信回線を介して受信した情報に関連したデータを表示することができる。
【００１０】
また、本発明の表示装置は、第３に、上記第１又は第２の表示装置であって、前記データ取得転送手段は、所定時刻又は所定時間毎に、前記データの取得及び転送を行う。
【００１１】
この構成により、第二の表示器は、所定時刻又は所定時間毎に更新された情報を表示することができる。
【００１２】
また、本発明の表示装置は、第４に、上記第１ないし第３のいずれかの表示装置であって、前記第二の表示器に表示させるデータを記憶する記憶手段を更に備え、前記データ取得転送手段は、前記第二の表示器に表示させるデータを前記記憶手段から読み出して取得し、前記第二の表示器へ転送する。
【００１３】
この構成により、第二の表示器は、記憶手段に記憶されたデータを表示させることができる。
【００１４】
また、本発明の表示装置は、第５に、上記第４の表示装置であって、前記データ取得転送手段によって前記記憶手段から取得するデータを指定する指定手段を更に備える。
【００１５】
この構成により、記憶されているデータの中から所望のデータを指定して第二の表示器に表示させることができる。
【００１６】
また、本発明の表示装置は、第６に、上記第４又は第５の表示装置であって、前記第二の表示器は蓄積型表示器であり、前記データ取得転送手段は、前記第一の表示器がオン状態からオフ状態になるときに、前記記憶手段からデータを取得して前記第二の表示器へ転送する。
【００１７】
この構成により、第一の表示器がオフ状態のときに、第二の表示器において電源を供給せずに表示を維持することができる。
【００１８】
また、本発明の表示装置は、第７に、上記第６の表示装置であって、前記第二の表示器は、前記第一の表示器がオフ状態からオン状態になるときに、表示されていた表示を消去する。
【００１９】
この構成により、第一の表示器がオン状態となったときに、第二の表示器に表示されていた表示を消去することにより、その表示の重畳を防ぐことができる。
【００２０】
また、本発明の表示装置は、第８に、上記第１ないし第５のいずれかの表示器であって、前記第二の表示器は蓄積型表示器である。
【００２１】
この構成により、第二の表示器は、電源を供給せずに表示を維持することができる。
【００２２】
また、本発明の表示装置は、第９に、上記第８の表示器であって、前記第二の表示器は、前記第一の表示器がオフ状態からオン状態になるときに、表示されていた表示を消去する。
【００２３】
この構成により、第一の表示器がオン状態となったときに、第二の表示器に表示されていた表示を消去することにより、第一の表示器がオフ状態のときのみに第二の表示器に所望の情報を表示することができる。
【発明の効果】
【００２４】
本発明によれば、表示器の配置面積の増大を抑制し、また、画像処理を行わずに重畳表示が可能な表示装置を提供することができる。
【発明を実施するための最良の形態】
【００２５】
図１は、本発明の実施形態に係る表示装置を備える携帯電話装置の概略構成を示すブロック図である。なお、本実施形態の携帯電話装置は、電話機能や、電子メール等のデータ通信機能のほか、デジタルテレビ放送の受信機能を有する場合について説明する。
【００２６】
図１に示すように、携帯電話装置１００は、アンテナ１０１と、テレビ受信部１０２と、ストリームデコーダ１０３と、音声データ処理部１０４と、スピーカ１０５と、映像データ処理部１０６と、文字データ処理部１０７と、表示データ処理部１０８と、第１表示器１０９と、第２表示器１１０と、記憶部１１１と、データ取得転送部１１２と、無線受信部１１３と、無線送信部１１４と、操作部１１５と、タイマ１１６と、ＣＰＵ１１７とを有する構成である。
【００２７】
テレビ受信部１０２は、通信手段の一例であり、アンテナ１０１を介してデジタルテレビ信号を受信する。ストリームデコーダ１０３は、テレビ受信部１０２で受信したテレビ信号において、音声データや映像データ、文字データ等を多重したストリームを復号して音声データと映像データと文字データ等に分離する。
【００２８】
音声データ処理部１０４は、ストリームデコーダ１０３から出力された音声データに対してデータ処理を行い、音声信号を出力する。スピーカ１０５は、音声データ処理部１０４から出力された音声信号の再生を行う。
【００２９】
映像データ処理部１０６は、ストリームデコーダ１０３から出力された音声データに対してデータ処理を行い、映像信号を出力する。文字データ処理部１０７は、ストリームデコーダ１０３から出力された文字データに対して表示用のデータ処理を行う。表示データ処理部１０８は、ＣＰＵ１１７の指示に基づき、第１表示器１０９に対する表示すべきデータの処理を行う。
【００３０】
第１表示器１０９は、メイン表示器として、表示データ処理部１０８から出力された携帯電話装置１００の状況に応じた情報を表示し、また、テレビ放送閲覧時には、映像データ処理部１０６で出力されたテレビ映像や文字データ処理部１０７で出力された文字を表示する。
【００３１】
第２表示器１１０は、第１表示器１０９に重畳して設けられた透過蓄積型表示器である。すなわち、第２表示器１１０は、第１表示器１０９の表示面上に載置されて設けられている。この第２表示器１１０は透過型の表示器であるので、第２表示器１１０を第１表示器１０９の上に重ねて配置しても、使用者は第１表示器１０９が表示している画像が見える。また、この第２表示器１１０は蓄積型の表示器であるので、携帯電話装置１００の電源はオフになっても、表示を維持し続ける。蓄積型の実現例として、例えば、コレステリック液晶等の無電源で表示を保持することができる液晶を使用する。
【００３２】
記憶部１１１は、記憶手段の一例であり、テレビ受信した映像や画像データ、不図示のカメラにより撮像された画像データや、電話帳データ、送受信メールデータ、使用者により入力されたメモデータ、ウェブサイト等からダウンロードしたデータ等を記憶する。
【００３３】
データ取得転送部１１２は、データ取得転送手段の一例であり、第２表示器１１０へデータを転送する指示を受けると、転送するデータを取得して第２表示器１１０へ出力し、第２表示器１１０を駆動してデータを表示させる。
【００３４】
無線受信部１１３は、通信手段の一例であり、アンテナ１０１を介して図示しない基地局から所定の周波数帯域による無線信号の受信を行う。無線送信部１１４は、通信手段の一例であり、アンテナ１０１を介して図示しない基地局へ所定の周波数帯域による無線信号の送信を行う。
【００３５】
操作部１１５は、指定手段の一例であり、数字キーや文字キーと各種機能キーなどを有して構成され、機能設定や、データ転送指示などの各種操作に用いられる。タイマ１１６は、時刻や時間を計時する。
【００３６】
ＣＰＵ１１７は、携帯電話装置１００の各部動作の制御及び第１表示器１０９と第２表示器１１０の表示状況の把握などを行う。
【００３７】
以上のように構成された携帯電話装置１００について、図２に示すフローチャートを用いてその動作を説明する。図２は、本発明の実施形態に係る表示装置を備える携帯電話装置の動作を示すフローチャートである。
【００３８】
まず、携帯電話装置１００の電源をオンにし、携帯電話装置１００を起動させる（ステップＳ２０１）。ここで、携帯電話装置１００の電源と第１表示器１０９の電源とは連動しているものとする。その場合、携帯電話装置１００の電源をオンにすると同時に、第１表示器１０９の電源もオンとなる。
【００３９】
第１表示器１０９は、その電源がオン状態になると、携帯電話装置１００の状態に応じた表示、例えば、テレビ閲覧が選択されている場合には、テレビ映像を表示する（ステップＳ２０２）。
【００４０】
その後、ＣＰＵ１１７は、第２表示器へデータを転送する要求、すなわち、第２表示器の表示を更新する要求があるかを監視する（ステップＳ２０３）。この要求が発生する場面としては、例えば、操作部１１５から入力された使用者による指示や、テレビ視聴中に無線受信部１１３により受信した電話やメールの着信、タイマ１１６による計時情報に基づいて計時される所定時刻や所定時間毎に発生するデータ転送要求等がある。
【００４１】
第２表示器へデータを転送する要求があると（ステップＳ２０３のＹＥＳ）、記憶部１１１等からデータ取得転送部１１２は、転送すべきデータを取得し（ステップＳ２０４）、第２表示器に取得したデータを転送する（ステップＳ２０５）。
【００４２】
例えば、使用者が、操作部１１５を用いて、記憶部１１１に記憶された受信メールや送信メール、メモデータ、カメラの画像や、テレビ閲覧中に指定した任意の静止画像等を選択して第２表示器に表示させる指示を行った場合、データ取得転送部１１２は、ＣＰＵ１１７の指示に基づいて、使用者により選択されたデータを記憶部１１１から読み出し、第２表示器１１０に表示させる。
【００４３】
例えば、電話やメールの着信がある場合、データ取得転送部１１２は、発信元や送信元等の着信に関連した情報、また、記憶部１１１に記憶された電話帳データを参照して発信者の名称等を読み出し、第２表示器１１０に表示させる。
【００４４】
また、記憶部１１１に記憶された情報や、時刻情報や気象情報等の予め指定した情報を所定時刻や所定時間毎に更新又は表示する場合、ＣＰＵ１１７はタイマ１１６を参照して所定時刻や所定時間毎に、必要に応じて無線通信網を介してデータの取得等を行い、また、データ取得転送部１１２にデータ転送の要求を行い、データ取得転送部１１２は必要に応じて記憶部１１１を参照してデータを読み出し、第２表示器１１０に表示させる。
【００４５】
ここで、第２表示器１１０は透過型の表示装置であるので、第２表示器１１０に表示された情報は、第１表示器１０９に表示されている情報に重畳して表示される。したがって、重畳表示のための画像処理を行うことなく、重畳表示を行うことができる。また、第２表示器１１０は蓄積型の表示装置であるので、表示すべきデータが転送されると、電源の供給を受けることなく表示を維持することができる。なお、第２表示器１１０に表示された情報は、使用者からの指示や、所定時間経過後等に、表示を解除してもよい。
【００４６】
そして、第２表示器１１０へデータ転送を終えたとき、又は、第２表示器１１０へのデータ転送要求がないとき（ステップＳ２０３のＮＯ）、携帯電話装置１００の電源オフが要求されたかを判断し（ステップＳ２０６）、携帯電話装置１００の電源オフが要求されなかった場合（ステップＳ２０６のＮＯ）、ステップＳ２０２に戻る。
【００４７】
一方、携帯電話装置１００の電源オフが要求された場合（ステップＳ２０６のＹＥＳ）、携帯電話装置１００の電源をオフにする（ステップＳ２０７）。携帯電話装置１００の電源と第１表示器１０９の電源とは連動するので、携帯電話装置１００の電源をオフにすると同時に、第１表示器１０９の電源もオフとなる。第２表示器１１０は蓄積型の表示器であるので、携帯電話装置１００及び第１表示器１０９の電源がオフになっても、第２表示器１１０の表示は維持される。
【００４８】
ところで、第２表示器１１０の表示は、第１表示器１０９によって重畳されるので、第１表示器１０９がオフ状態の時に第２表示器１１０に、使用者に予め指定された情報等の、所望の情報を表示させてもよい。この場合の処理を図３を用いて説明する。
【００４９】
図３は、本発明の実施形態に係る表示装置を備える携帯電話装置の動作の他の例を示すフローチャートである。なお、図３において、図２と重複する部分については同一の符号を付す。
【００５０】
図３に示すように、まず、携帯電話装置１００の電源がオンになると（ステップＳ２０１）、第１表示器１０９が連動してオン状態となる。ＣＰＵ１１７は、第１表示器１０９のオン状態、すなわち、携帯電話装置１００の電源のオン状態を検出すると、データ取得転送部１１２に、第２表示器１１０に表示されていた表示情報を消去するよう指示し、第２表示器１１０はデータ表示を消去する（ステップＳ３０１）。その後は、ステップＳ２０２〜Ｓ２０６の処理を行う。
【００５１】
そして、ＣＰＵ１１７は、第１表示器１０９のオフ、すなわち、携帯電話装置１００の電源のオフの要求を検出すると（ステップＳ２０６のＹＥＳ）、データ取得転送部１１２に、第２表示器１１０に表示すべきデータを転送する旨の指示を行い、データ取得転送部１１２は、必要に応じて記憶部１１１から指定されたデータを読み出して第２表示器１１０に転送することで、第２表示器１１０には所望の情報が表示される（ステップＳ３０２）。そして携帯電話装置１００がオフ状態となる（ステップＳ２０７）。
【００５２】
このようにして、携帯電話装置１００や第１表示器１０９がオフ状態のときにおいて、電力を消費することなく、所望の情報の表示を維持することができる。また、携帯電話装置１００や第１表示器１０９がオフ状態からオン状態になるときに、第２表示器１１０に表示されていた表示を消去することにより、携帯電話装置１００や第１表示器１０９がオフ状態のときのみに第２表示器１１０に所望の情報を表示することができる。
【００５３】
なお、以上の説明では、表示装置が、携帯電話装置に用いられる例について説明したがテレビモニタ等に用いられてもよい。
【００５４】
このような本発明の実施形態によれば、第１表示器の上に透過型の第２表示器を重畳して載置するので、表示器の配置面積の増大を抑制し、また、画像処理を行わずに重畳表示を行うことができる。また、第２の表示器を蓄積型表示器とすることで、電源供給をしなくても表示を維持することが可能となる。
【産業上の利用可能性】
【００５５】
本発明の表示装置は、表示器の配置面積の増大を抑制し、また、画像処理を行わずに重畳表示が可能な効果を有し、携帯電話装置やテレビモニタ等に有用である。
【図面の簡単な説明】
【００５６】
【図１】本発明の実施形態に係る表示装置を備える携帯電話装置の概略構成を示すブロック図
【図２】本発明の実施形態に係る表示装置を備える携帯電話装置の動作を示すフローチャート
【図３】本発明の実施形態に係る表示装置を備える携帯電話装置の動作の他の例を示すフローチャート
【符号の説明】
【００５７】
１００  携帯電話装置
１０１  アンテナ
１０２  テレビ受信部
１０３  ストリームデコーダ
１０４  音声データ処理部
１０５  スピーカ
１０６  映像データ処理部
１０７  文字データ処理部
１０８  表示データ処理部
１０９  第１表示器
１１０  第２表示器
１１１  記憶部
１１２  データ取得転送部
１１３  無線受信部
１１４  無線送信部
１１５  操作部
１１６  タイマ
１１７  ＣＰＵ
【図１】
2006215334.tif 000003
【図２】
2006215334.tif 000004
【図３】
2006215334.tif 000005